(57)【要約】【課題】筐体の小型化を図ることができる電子機器を提供する。【解決手段】一端にヒンジ受け部１６ａを備えると共に内部に回路基板を有する第１筐体１１と、一端にヒンジ受け部１６ａに装着されるヒンジ固定部品１９を備えると共に内部に回路基板を有する第２筐体１２とを備えて、第１筐体１１と第２筐体１２とがヒンジ受け部１６ａの回転軸を中心に回動可能に連結されている電子機器において、第２筐体１２は、回路基板が配置される第１ケース１６の内部底面に突設した、ヒンジ固定部品１９に挿入されヒンジ固定部品１９を係止するボス状突出部１８及びヒンジ固定部品１９の外面部に接触するリブ状突出部２５，２６を有する。【選択図】図１
2007299807.tif 000002
【特許請求の範囲】
【請求項１】
一端に軸受部を備えると共に内部に回路基板を有する第１筐体と、一端に前記軸受部に装着される軸部品を備えると共に内部に回路基板を有する第２筐体とを備えて、前記第1筐体と前記第２筐体とが前記軸受部の回転軸を中心に回動可能に連結されている電子機器において、
前記第２筐体は、前記回路基板が配置される第１ケースの内部底面に突設した、前記軸部品に挿入され前記軸部品を係止するボス状突出部及び前記軸部品の外面部に接触するリブ状突出部を有することを特徴とする電子機器。
【請求項２】
前記軸部品は、前記軸受部を介して前記第２筐体に配線されて前記両回路基板を相互に電気接続する信号配線を通す配線路を形成することを特徴とする請求項１に記載の電子機器。
【請求項３】
前記リブ状突出部は、前記軸部品の前記回路基板側の外面に対向して突設された第１突出部を有して構成されることを特徴とする請求項１または２に記載の電子機器。
【請求項４】
前記リブ状突出部は、前記軸部品の前記回転軸の軸方向端面に対向して突設された第２突出部を有して構成されることを特徴とする請求項１から３のいずれか一項に記載の電子機器。
【請求項５】
前記軸部品は、上面に庇部が形成されていることを特徴とする請求項１から４のいずれか一項に記載の電子機器。
【請求項６】
前記第２筐体は、前記第１ケースと当該第１ケースにネジ部材にて結合される第２ケースとを有して構成され、前記ボス状突出部に、前記ネジ部材が螺着されることを特徴とする請求項１から５のいずれか一項に記載の電子機器。
【発明の詳細な説明】
【技術分野】
【０００１】
この発明は、電子機器に関し、特に、筐体が折り畳み式のヒンジ構造を有する電子機器に関する。
【背景技術】
【０００２】
従来、筐体が折り畳み式のヒンジ構造を有する携帯電話装置が知られている。
図８は、従来の携帯電話装置を示し、（ａ）は全体の斜視図、（ｂ）は第２筐体のフロントの裏面側から見た斜視図、（ｃ）は（ｂ）の部分拡大図である。図８に示すように、従来の携帯電話装置１は、第１筐体２及び第２筐体３の二つの筐体（ケース）から構成されており、第１筐体２と第２筐体３は、一端側が回動自在なヒンジ部４により連結されることで、互いに接近・離反する折り畳み構造を有している（（ａ）参照）。
【０００３】
第１筐体２には、表示装置である液晶ディスプレイ（Ｌｉｑｕｉｄ  Ｃｒｙｓｔａｌ  Ｄｉｓｐｌａｙ：ＬＣＤ）５が、第２筐体３には、各種操作キー６が、それぞれ備えられている（（ａ）参照）。ＬＣＤ５を備えた第１筐体２と各種操作キー６を備えた第２筐体３は、信号伝送を行うための信号ラインを形成するケーブル等（図示しない）により接続されている。
このケーブル等は、第２筐体３を構成するフロントケース３ａ（（ｂ）参照）の内部に、例えば、ネジ７を用いて位置決め固定された配線用部品８（（ｂ），（ｃ）参照）を介して、或いはネジ７を用いず固定しない配線用部品（図示しない）を介して、配線されている。
【０００４】
このような携帯電話装置として、例えば、「携帯電子機器」（特許文献１参照）が知られている。従来の「携帯電子機器」は、ケース部材にネジ止めされてヒンジ部に配置された金属製の軸部材（配線用部品）を有している。
【特許文献１】特開２００６−０６７５２５号公報
【発明の開示】
【発明が解決しようとする課題】
【０００５】
しかしながら、ヒンジ部４に配置された軸部材等の、ケーブル等を配線する配線用部品８は、ネジ７を用いてフロントケース３ａに位置決め固定されているため、ネジ７を螺着する部品用ネジボスをフロントケース３ａに設ける必要がある。従って、フロントケース３ａには、部品用ネジボスを形成する部分と、ケーブル等を配線する配線通路のための専用のスペースとを確保しなければならず、そのスペース分、フロントケース３ａ、ひいてはケース全体が大型化してしまうことになる。更に、配線用部品８を部品用ネジボスに螺着するためのネジ締め作業が必要になるので、作業工数も増加してしまう。
【０００６】
また、配線用部品８を、第２筐体３のフロントケース３ａとリアケース（図示しない）を締結するケース締結用ネジボス９に抱かせて装着することで、ケースの強度を確保しているが、このケース締結用ネジボス９に配線用部品８を装着したため、配線用部品８が大型化してしまい、フロントケース３ａの長軸方向（ｙ方向、（ａ）参照）の部品配置スぺースが狭くなってしまうので、第２筐体３を長手方向に大きくしなければならなかった。
【０００７】
この発明の目的は、筐体の小型化を図ることができる電子機器を提供することである。
【課題を解決するための手段】
【０００８】
上記目的を達成するため、この発明に係る電子機器は、一端に軸受部を備えると共に内部に回路基板を有する第１筐体と、一端に前記軸受部に装着される軸部品を備えると共に内部に回路基板を有する第２筐体とを備えて、前記第1筐体と前記第２筐体とが前記軸受部の回転軸を中心に回動可能に連結されている電子機器において、前記第２筐体は、前記回路基板が配置される第１ケースの内部底面に突設した、前記軸部品に挿入され前記軸部品を係止するボス状突出部及び前記軸部品の外面部に接触するリブ状突出部を有することを特徴としている。
【０００９】
また、本発明は、前記軸部品は、前記軸受部を介して前記第２筐体に配線されて前記両回路基板を相互に電気接続する信号配線を通す配線路を形成することを特徴とすることが好ましい。
また、本発明は、前記リブ状突出部は、前記軸部品の前記回路基板側の外面に対向して突設された第１突出部を有して構成されることを特徴とすることが好ましい。
【００１０】
また、本発明は、前記リブ条突出部は、前記軸部品の前記回転軸の軸方向端面に対向して突設された第２突出部を有して構成されることを特徴とすることが好ましい。
また、本発明は、前記軸部品は、上面に庇部が形成されていることを特徴とすることが好ましい。
更に、本発明は、前記第２筐体は、前記第１ケースと当該第１ケースにネジ部材にて結合される第２ケースとを有して構成され、前記ボス状突出部に、前記ネジ部材が螺着されることを特徴とすることが好ましい。
【発明の効果】
【００１１】
この発明によれば、筐体の小型化を図ることができる。
【発明を実施するための最良の形態】
【００１２】
以下、この発明を実施するための最良の形態について図面を参照して説明する。
図１は、この発明の一実施の形態に係る携帯電話装置の全体斜視図である。図１に示すように、電子機器である携帯電話装置１０は、第１筐体１１及び第２筐体１２の二つの筐体（ケース）から構成されており、第１筐体１１と第２筐体１２は、一端側が回動自在なヒンジ部１３により連結されることで、互いに接近・離反する折り畳み構造を有している。第１筐体１１には、表示装置である液晶ディスプレイ（ＬＣＤ）１４が、第２筐体１２には、各種操作キー１５が、それぞれ備えられている。
【００１３】
図２は、図１の第２筐体のフロントケースを裏面側から見た斜視図である。図２に示すように、第２筐体１２は、フロントケース（第１ケース）１６とリアケース（図示しない）を有しており、フロントケース１６とリアケースの間には、キー接点プレート１７、後述する操作キープレート、及び他の構成部品が積層配置されている。なお、図２は、フロントケース１６にキー接点プレート１７を配置した状態を、キー接点プレート１７の裏面側から見た状態を示しており、図２においては、キー接点プレート１７の上に、操作キープレートが積層配置され、最後にリアケースが取り付けられる。
【００１４】
第２筐体１２のフロントケース１６の内部底面には、フロントケース１６とリアケースを締結するネジ部材としてのケース締結用ネジ（図示しない）が螺着されるケース締結用ネジボス（ボス状突出部）１８が形成されており、このケース締結用ネジボス１８に、ヒンジ固定部品（軸部品）１９が装着されている。ケース締結用ネジボス１８は、ヒンジ部１３が装着されるフロントケース１６の一端側に設けられた、ヒンジ部１３を組み込むためのヒンジ受け部（軸受け部）１６ａの一方の側に突設されている。そして、第２筐体１２は、フロントケース１６と、フロントケース１６にケース締結用ネジボス１８に螺着されるネジ部材にて結合されるリアケースとを有して構成される。
【００１５】
図３は、ヒンジ固定部品１９を示し、（ａ）は図２に示す状態における斜視図、（ｂ）は他の方向から見た斜視図である。図３に示すように、ヒンジ固定部品１９は、円筒状の接続部２０、接続部２０に連続して略直角に屈曲する断面Ｕ字状の受け部２１、受け部２１の裏面側に一体的に形成され、受け部２１を横向きにした状態で略直立するボス装着部２２、横向きにした受け部２１を覆う庇部２３、及び受け部２１を横向きにした状態で底面を形成する矩形平板状の基板部２４を有している。
【００１６】
ボス装着部２２は、ケース締結用ネジボス１８を上下方向に貫通させるボス受け空間２２ａを有している。このボス受け空間２２ａは、基板部２４側の下部が、ボス装着部２２を貫通する円筒状空間に形成されると共に、庇部２３側の上部が、ボス装着部２２の側面に開口するＵ字状断面空間に形成されている。
即ち、ボス装着部２２は、ボス受け空間２２ａの円筒状空間を形成する周壁部２２ｂ（（ａ）参照）を除く、ボス受け空間２２ａの上部側面が、切除されて開口している。切除に際しては、ボス装着部２２のケース締結用ネジボス１８装着時に、切除面であるボス装着部２２の側端面がケース締結用ネジボス１８の外表面と同一面となるようにする（図４参照）。
【００１７】
図４は、ヒンジ固定部品の装着状態を示すフロントケースの部分拡大図である。図４に示すように、ヒンジ固定部品１９は、ボス装着部２２にケース締結用ネジボス１８を貫通させた、ケース締結用ネジボス１８に抱かせた状態で、基板部２４をフロントケース１６の内面に接触させ、フロントケース１６に載置されている。この状態で、接続部２０は、ヒンジ部１３のヒンジユニット（図示しない）が設けられていない側の端部に接続されており、受け部２１は、後述するケーブル２８（図７参照）を案内配置する。
つまり、ヒンジ固定部品１９は、第２筐体１２に配線した、第１筐体１１と第２筐体１２の両回路基板を相互に電気接続する信号配線を通す、配線路を形成する。このケーブル２８は、信号ライン等を形成しており、ヒンジ部１３の内部に挿通されて接続部２０から引き出されている。
【００１８】
フロントケース１６に載置されたヒンジ固定部品１９は、基板部２４を、ｙ方向（図１参照）のキー接点プレート１７側がリブ状突出部（第１突出部）２５に、ｘ方向（図１参照）のケース外周側がリブ状突出部２６に、それぞれ密着状態に接触している。リブ状突出部２５は、ｘ方向に沿う長い壁状に形成され、リブ状突出部（第２突出部）２６は、ｘ方向に沿う短い壁状に形成されて複数個がｙ方向に並設されており、何れもボス装着部２２の周壁部２２ｂを越えない高さで、即ち、ヒンジ固定部品１９を介して配置されるケーブル２８等に干渉しない高さで、フロントケース１６の底面に突設されている。
このように、リブ状突出部２５，２６は、ヒンジ固定部品１９のキー接点プレート１７側の外面に対向して突設された第１突出部と、ヒンジ固定部品１９の第２筐体１２側の外面に対向して突設された第２突出部からなる。
【００１９】
従って、ボス装着部２２は、ボス受け空間２２ａの上部のキー接点プレート１７側の側面が切除されているため、周壁部２２ｂの上部は、ケース締結用ネジボス１８の外表面が露出した状態になっている。
図５は、部品を配置した状態を示す、図４と同様のフロントケースの部分拡大図である。図５に示すように、ボス装着部２２の上部には、キー接点プレート１７や回路基板等の筐体内部に配置する部品２７を、切除面であるボス装着部２２の側端面（ｙ方向のキー接点プレート１７側の端面）、即ち、ケース締結用ネジボス１８の外表面に接触させて配置することができる。よって、回路基板等の筐体内部に配置する部品２７を、ケース締結用ネジボス１８側に移動させることができるので、フロントケース１６のｙ方向の寸法を短くすることが可能になると共に、強度を保持することができる。
【００２０】
図６は、ヒンジ固定部品１９の装着状態を示し、（ａ）はフロントケースの平面図、（ｂ）は（ａ）のＢ−Ｂ線に沿う断面図である。図６に示すように、フロントケース１６に載置されたヒンジ固定部品１９（（ａ）参照）は、基板部２４に開口してヒンジ固定部品１９に設けられた係止穴１９ａに、フロントケース１６の内面に突設された係止部１６ｂが挿入係止されている（（ｂ）参照）。
このように、ヒンジ固定部品１９は、ボス装着部２２をケース締結用ネジボス１８が貫通し、係止穴１９ａに係止部１６ｂが挿入係止し、ボス受け空間２２ａの下部の周壁部２２ｂがリブ状突出部２５に接触状態に囲まれて、位置決め固定されている。
【００２１】
図７は、ヒンジ固定部品の装着状態を示し、（ａ）はフロントケースの平面図、（ｂ）は（ａ）のＢ−Ｂ線に沿う断面図である。図７に示すように、フロントケース１６に載置されたヒンジ固定部品１９（（ａ）参照）により、ヒンジ部１３の内部に挿通されているケーブル２８は、接続部２０から引き出され、受け部２１に沿ってケース締結用ネジボス１８の外周を通って、フロントケース１６に設けられた、ケース締結用ネジボス１８との間のケーブル配線スペースに、配置される。フロントケース１６のケーブル配線スペースに配置されたケーブル２８は、先端に取り付けられたコネクタ２８ａを、回路基板等の筐体内部に配置する部品２７に接続する。
【００２２】
ヒンジ固定部品１９に庇部２３を形成したことにより、フロントケース１６に取り付けられるリアケース（図示しない）からの圧力（（ｂ）白抜き矢印参照）が、直接、ケーブル２８に付加されることがないので、リアケースからの圧力対してケーブル２８を保護することができる。また、フロントケース１６の外周壁内側にリブ状突出部２６´を形成し、庇部２３とリブ状突出部２６´の間にケーブル２８を入り込ませることができる隙間（（ｂ）参照）を設けることで、ケーブル２８をヒンジ固定部品１９に組み込んで配置した後に、ケーブル２８をヒンジ固定部品１９とフロントケース１６とで仮固定することができる。
【００２３】
上述したように、ヒンジ部１３から引き出されたケーブル２８が通るヒンジ固定部品１９を、既設のケース締結用ネジボス１８に装着すると共にケースに形成したリブ状突出部２５，２６により周囲を囲うことで、ヒンジ固定部品１９を位置決め固定するための専用の部品を用いることなく、位置決め固定することができる。
つまり、従来、必要としていた、配線用部品を固定するための専用の部品用ネジボスを設けず、ケース締結用ネジボス１８のみの１個のネジボスで、ケーブル２８が通るヒンジ固定部品１９の位置決め固定が可能になり、より少ないスペースでヒンジ固定部品１９を位置決め固定することができる。
【００２４】
従って、ネジ止めによる取り付けを行うことなくケーブル２８を通すスペースを作ることができるので、電子機器である携帯電話装置１０のサイズを小さくすることができる。加えて、ネジを使用しなくて済むため、部品点数を削減することができる。
また、回路基板等の筐体内部に配置する部品２７を、ケース締結用ネジボス１８側に移動させることができるので、フロントケース１６のｙ方向の寸法を短くすることが可能になり、その結果、電子機器である携帯電話装置１０のサイズを小さくすることができる。
なお、本発明の実施の形態に際しては上述した例示に限定されず、種々の変形態様をとることができる。
【００２５】
例えば、上述した実施形態では、ヒンジ受け部（軸受け部）１６ａの一方の側に配設されてケーブル２８が配線される側のヒンジ固定部品１９はフロントケース１６に螺合固定されずに、ヒンジ受け部（軸受け部）１６ａの他方の側（図２中の左側）に配設されてヒンジユニットが配設されるヒンジ固定部品１９´は従来構造と同様にフロントケース１６にネジ部材によって螺合固定される構成としたが、この他方側のヒンジ固定部品１９´もヒンジ固定部品１９と同様の構造とするようにしてもよい。即ち、ケーブル２８が配設される側のヒンジ固定部品を上述した実施形態と同様の構造とすることにより、ケーブルを配線するためのスペースを確保することができ、筐体内の省スペース化が図れて携帯電話機１０のサイズを小さくすることができる。
【００２６】
なお、上述した実施形態では、フロントケース１６に形成されたリブ状突出部２５（第１突出部）は、ヒンジ固定部品１９のキー接点プレート１７側の外面に対向して突設され、同リブ状突出部２６（第２突出部）は、ヒンジ固定部品１９の第２筐体１２側の外面に対向して突設されるように構成されているが、これらリブ状突出部は、ヒンジ固定部品１９が浮き上がることを抑制するように形成されて配置されればよく、例えば、第１突出部は、ヒンジ固定部品１９のうち第１筐体１１と第２筐体１２との回転軸（ヒンジ部１３の回転軸）に対して略直角な方向の端面に当接して、第１筐体１１と第２筐体１２が回転する際にヒンジ固定部品１９が浮き上がることを抑制するように構成されていればよい。また、第２突出部は、ヒンジ固定部品１９のうち第１筐体１１と第２筐体１２との回転軸（ヒンジ部１３の回転軸）に対して略平行な方向の端面に当接して、ヒンジ固定部品１９が軸方向に移動することを抑制するように構成されていればよい。
【００２７】
このように、従来のようにネジ部材を用いてヒンジ固定部品１９をフロントケース１６に固定するのではなく、挿嵌されるボス状突出部と外面部に接触するリブ状突出部とを用いて固定するように構成されればよい。
【図面の簡単な説明】
【００２８】
【図１】この発明の一実施の形態に係る携帯電話装置の全体斜視図である。
【図２】図１の第２筐体のフロントケースを裏面側から見た斜視図である。
【図３】ヒンジ固定部品を示し、（ａ）は図２に示す状態における斜視図、（ｂ）は他の方向から見た斜視図である。
【図４】ヒンジ固定部品の装着状態を示すフロントケースの部分拡大図である。
【図５】部品を配置した状態を示す、図４と同様のフロントケースの部分拡大図である。
【図６】ヒンジ固定部品の装着状態を示し、（ａ）はフロントケースの平面図、（ｂ）は（ａ）のＢ−Ｂ線に沿う断面図である。
【図７】ヒンジ固定部品の装着状態を示し、（ａ）はフロントケースの平面図、（ｂ）は（ａ）のＢ−Ｂ線に沿う断面図である。
【図８】従来の携帯電話装置を示し、（ａ）は全体の斜視図、（ｂ）は第２筐体のフロントの裏面側から見た斜視図、（ｃ）は（ｂ）の部分拡大図である。
【符号の説明】
【００２９】
１０  携帯電話装置
１１  第１筐体
１２  第２筐体
１３  ヒンジ部
１４  ＬＣＤ
１５  操作キー
１６  フロントケース
１６ａ  ヒンジ受け部
１６ｂ  係止部
１７  キー接点プレート
１８  ケース締結用ネジボス
１９  ヒンジ固定部品
１９ａ  係止穴
２０  接続部
２１  受け部
２２  ボス装着部
２２ａ  ボス受け空間
２２ｂ  周壁部
２３  庇部
２４  基板部
２５，２６  リブ状突出部
２７  部品
２８  ケーブル
２８ａ  コネクタ
【図１】
2007299807.tif 000003
【図２】
2007299807.tif 000004
【図３】
2007299807.tif 000005
【図４】
2007299807.tif 000006
【図５】
2007299807.tif 000007
【図６】
2007299807.tif 000008
【図７】
2007299807.tif 000009
【図８】
2007299807.tif 000010